(57)【要約】【課題】  アルミ製角パイプを用いて苗箱収納棚を組立て構築する際にボルト止めによって着脱自在に接続できる角パイプ相互を平面Ｌ型またはＴ型に同形のアルミ製接続用継手を用いて接続する際に、苗箱収納棚の８０枚以上の収納棚についてより高い強度が要求されるアルミ製角パイプの接合部として有用なアルミ製継ぎ手およびこれを用いたアルミ製角パイプの接続方法を提供する。【解決手段】  アルミ製角パイプとの接続手がＬ型／Ｔ型に支出されたアルミ製ブロックからなる継ぎ手において、各接続手にその長手方向に中間の軽量化用空洞部を挟んで複数のボルトねじ込み用ナット孔を配置し各アルミ製角パイプを各接続手に複数のボルトを用いて連結することを特徴とする継ぎ手。【選択図】  図３
2006214566.tif 000002
【特許請求の範囲】
【請求項１】
アルミ製角パイプとの接続手がＬ型／Ｔ型に支出されたアルミ製ブロックからなる継ぎ手において、各接続手にその長手方向に中間の軽量化用空洞部を挟んで複数のボルトねじ込み用ナット孔を配置し各アルミ製角パイプを各接続手に複数のボルトを用いて連結することを特徴とする継ぎ手。
【請求項２】
全接続手のナット孔を共通的に覆う補強板を介してアルミ製角パイプをナット孔にボルト連結する請求項１記載の継ぎ手。
【請求項３】
各先端部にナット嵌め込み孔を有しかつ各先端面に鈎状引っ掛け部を突設したＬ型／Ｔ型のアルミ製基本ブロックと、一方の端面に鈎状引っ掛け部を突設し他方の端部にナット嵌め込み孔を有する線状のアルミ製延長用ブロックとの組み合わせよりなり、基本ブロックおよび延長ブロック相互の各鈎状引っ掛け部の雌雄接続によって基本ブロックの各先端を直線状に延長してアルミ製角パイプとの接続手を形成したことを特徴とする継ぎ手。
【請求項４】
両ブロックの各ナット嵌め込み孔にスチール製ナットをそれぞれ嵌め込みかつ両ブロックの鈎状引っ掛け部の接続部内側にスチール製ピンを圧入すると共に両ブロックの接続部外側を溶接したことを特徴とする請求項３記載のアルミ製角パイプ連結用のアルミ製継ぎ手。
【請求項５】
基本ブロックのナット嵌め込み孔で囲まれた基部に空洞部をくり抜くと共に延長ブロックのナット嵌め込み孔と鈎状引っ掛け部との間に同じく空洞部をくり抜いて両ブロックを軽量化した請求項３または４記載の継ぎ手。
【請求項６】
連結される角パイプは延長ブロックの全長およびこれに接続する基本ブロックのスチール製ナットを覆うように嵌め合わされ、角パイプ壁を通してスチール製ナットにねじ込まれるスチールボルトによって角パイプと両ブロックの締め付けを行う請求項３から５までのいずれか１項記載の継ぎ手。
【請求項７】
継ぎ手の全面を覆う大きさの補強板を連結される全角パイプの外面に共通的にあてがい、補強板次いで角パイプ壁を通してスチール製ナットにねじ込まれるスチールボルトによってアルミ製補強板を介して角パイプと両ブロックの締め付けを行う請求項３から６までのいずれか１項記載の継ぎ手。
【請求項８】
角パイプと継ぎ手との接続が着脱可能である請求項１から７までのいずれか１項記載の継ぎ手。
【請求項９】
角パイプの外面には長手方向に走る細溝が密間隔に配列されている請求項１から８までのいずれか１項記載の継ぎ手。
【請求項１０】
請求項１から９までのいずれか１項記載の継ぎ手を用いてアルミ製角パイプをＬ型／Ｔ型配列に接続する接続方法。
【請求項１１】
スチールボルトとスチールナットでアルミ製角パイプとアルミ製継ぎ手の接続を行う請求項１から１０までのいずれか１項記載の接続方法。
【請求項１２】
スチールナットは予め継ぎ手に嵌め込み固定されている請求項１から１１までのいずれか１項記載の接続方法。
【発明の詳細な説明】
【技術分野】
【０００１】
本発明はアルミ製角パイプを平面Ｌ型またはＴ型に同形のアルミ製継手を用いて接続するための継手および方法に関する。
【背景技術】
【０００２】
従来においても角パイプ等を例えばＬ型に接続するための継手ないしは接続部材として種々のものが知られているが、アルミ製角パイプを簡単かつ自在に着脱可能に接続するものは知られていなかった。
【０００３】
【特許文献１】特開平７−２０８４１６公報
【特許文献２】特開２００２−５７４７７公報
【特許文献３】特開２００３−２４７５１６公報
【発明の開示】
【発明が解決しようとする課題】
【０００４】
本発明の目的はアルミ製角パイプを用いて苗箱収納棚を組立て構築する際にボルト止めによって着脱自在に接続できる角パイプ相互を平面Ｌ型またはＴ型に同形のアルミ製接続用継手を用いて接続する際に、苗箱収納棚の８０枚以上の収納棚についてより高い強度が要求されるアルミ製角パイプの接合部として有用なアルミ製継ぎ手およびこれを用いたアルミ製角パイプの接続方法を提供するものである。
【課題を解決するための手段】
【０００５】
アルミ製角パイプとの接続手がＬ型／Ｔ型に支出されたアルミ製ブロックからなる継ぎ手において、各接続手にその長手方向に中間の軽量化用空洞部を挟んで複数のボルトねじ込み用ナット孔を配置し各アルミ製角パイプを各接続手に複数のボルトを用いて連結することを特徴とする継ぎ手に係わる。
【０００６】
上記において全接続手のナット孔を共通的に覆う補強板を介してアルミ製角パイプをナット孔にボルト連結する継ぎ手に係わる。
【０００７】
各先端部にナット嵌め込み孔を有しかつ各先端面に鈎状引っ掛け部を突設したＬ型／Ｔ型のアルミ製基本ブロックと、一方の端面に鈎状引っ掛け部を突設し他方の端部にナット嵌め込み孔を有する線状のアルミ製延長用ブロックとの組み合わせよりなり、基本ブロックおよび延長ブロック相互の各鈎状引っ掛け部の雌雄接続によって基本ブロックの各先端を直線状に延長してアルミ製角パイプとの接続手を形成したことを特徴とする継ぎ手に係わる。
【０００８】
上記において両ブロックの各ナット嵌め込み孔にスチール製ナットをそれぞれ嵌め込みかつ両ブロックの鈎状引っ掛け部の接続部内側にスチール製ピンを圧入すると共に両ブロックの接続部外側を溶接したことを特徴とするアルミ製角パイプ連結用のアルミ製継ぎ手に係わる。
【０００９】
更に上記において基本ブロックのナット嵌め込み孔で囲まれた基部に空洞部をくり抜くと共に延長ブロックのナット嵌め込み孔と鈎状引っ掛け部との間に同じく空洞部をくり抜いて両ブロックを軽量化した継ぎ手に係わる。
【００１０】
更に上記において連結される角パイプは延長ブロックの全長およびこれに接続する基本ブロックのスチール製ナットを覆うように嵌め合わされ、角パイプ壁を通してスチール製ナットにねじ込まれるスチールボルトによって角パイプと両ブロックの締め付けを行う継ぎ手に係わる。
【００１１】
更に又上記において継ぎ手の全面を覆う大きさの補強板を連結される全角パイプの外面に共通的にあてがい、補強板次いで角パイプ壁を通してスチール製ナットにねじ込まれるスチールボルトによってアルミ製補強板を介して角パイプと両ブロックの締め付けを行う継ぎ手に係わる。
【００１２】
上記において角パイプと継ぎ手との接続が着脱可能である継ぎ手に係わる。
【００１３】
上記において角パイプの外面には長手方向に走る細溝が密間隔に配列されている継ぎ手に係わる。
【００１４】
上記各記載の継ぎ手を用いてアルミ製角パイプをＬ型／Ｔ型配列に接続する接続方法に係わる。
【００１５】
上記の接続方法においてスチールボルトとスチールナットでアルミ製角パイプとアルミ製継ぎ手の接続を行う方法およびスチールナットは予め継ぎ手に嵌め込み固定されている方法に係わる。
【発明の効果】
【００１６】
本発明のブロック材の継ぎ手は苗箱収納棚の８０枚以上（８０枚、９６枚、１２０枚用）の収納棚について、より高い強度が必要なため開発したものであり、苗箱収納棚は基本的に枠体構造の構造物であるが、枠体構造においてはその接合部にせん断、圧縮、引っ張り、曲げモーメント等複雑な力が作用するため、特に重要な個所である。
接合部はＴ字型およびＬ字型の各ブロック材に角パイプを挿入し、補強板の上からスチールボルトにて締結した構造である。
Ｔ字型のブロック材は、長さを延長するため基本ブロック材に延長用ブロック材３個をかん合した構造である。
同様にＬ字型ブロック材は、基本ブロック材に延長用ブロック材２個をかん合した構造である。
上記のかん合方法は強度を維持するため、スチール製のピンを圧入した後に溶接合した構造である。
また角パイプとブロック材を強固に接合するために、ブロック自体にスチール製ナットを圧入した。これにより比較的硬度の低いアルミ材料にあっても接合部はスチール製となるため、接合強度が増すと同時に経年変化も起き辛くなる。
【発明を実施するための最良の形態】
【００１７】
以下本発明を図面に示す実施例によって説明するが、これは例示の目的で掲げたもので、これによって本発明を制約するものではない。
【実施例１】
【００１８】
図１はアルミ製Ｔ型継ぎ手のＴ型の基本ブロック（Ｔ−Ｂ）の平面図を示し、接続手を形成するための先端部（１）（１）（１）に夫々ナット嵌め込み孔（２）を有し、ナット嵌め込み孔（２）（２）（２）で囲まれた基部には軽量化のための空洞部（３）がくり抜かれている。先端部（１）の先端面には雄用鈎状引掛け部（４）が突設されているが、その鈎状内側面には後述のピン圧入用の凹み（５）が形成されている。
【００１９】
図２はアルミ製Ｔ型継ぎ手の線状の延長ブロック（Ｅ−Ｂ）の平面図を示し、その一端側には前出のナット嵌め込み孔と同一のナット嵌め込み孔（２）を有し、他端側端面には前出の鈎状引掛け部（４）と雌雄嵌合しうる対構造の雌用鈎状引掛け部（４’）が突設されているが、対の一方内側には後述のピン圧入用の凹み（５’）が形成されている。ナット嵌め込み孔（２）と鈎状引掛け部（４’）との間には軽量化のための空洞部（３’）がくり抜かれている。
【００２０】
図３は図１の基本ブロック（Ｔ−Ｂ）と図２の延長ブロック（Ｅ−Ｂ）を接続して延長された接続手を形成した組合わせブロックの平面図を示し、基本ブロック（Ｔ−Ｂ）のＴ型三方の先端の雄用鈎状引掛け部（４）に夫々延長ブロック（Ｅ−Ｂ）の雌用鈎状引掛け部（４’）を雌雄接続し、両引掛け部（４）（４’）間に凹み（５）（５’）によって円状に形成されるピン圧入孔にスチールピン（６）を圧入し、両引掛け部（４）（４’）の接続を固定化する。これにより基本ブロック（Ｔ−Ｂ）の各先端が延長ブロック（Ｅ−Ｂ）によって延長された接続手を有するＴ型の一体化された継手が得られる。
【００２１】
図３のＴ型継手のナット嵌め込み孔（２）には図示されていないがスチールナットが嵌め込み固定される。
【００２２】
このスチールナットを嵌め込んだ図３のＴ型継手の三方の接続手に、アルミ製角パイプ（図示せず）を延長ブロック（Ｅ−Ｂ）の全長および基本ブロック（Ｔ−Ｂ）のスチールナットを嵌め込んだナット嵌め込み孔（２）をカバーするように夫々被せ嵌合し、アルミ製角パイプに予め開けたボルト孔を通して外部よりボルト（図示せず）を内側の複数個のスチールナットに夫々ねじ込みアルミ製角パイプを夫々複数個所で各接続手に締め付け固定する。ボルトナット締め付けに当たっては常法に従いワッシャ、スプリングワッシャ等が使用される。（７）はアルミ製角パイプの端面を受ける衝合面を示す。
【００２３】
上記のように内外接合個所でボルトナット結合することにより各アルミ角パイプと各継ぎ手の接続手との結合は強固に保証されるが、Ｔ型接続手およびこれに結合されるアルミ製角パイプの三方の接続手間での相互位置を一層強固に保証するために、継ぎ手の全面、具体的には全接続手の複数のナット嵌め込み孔に嵌め込んだ全ナットを同時に覆う大きさのアルミ製補強板（図示せず）を三方のアルミ製角パイプの外面に当てがい、前出のボルト−ナット結合によって所期の目的が達成される。
【実施例２】
【００２４】
図４はアルミ製Ｌ型継ぎ手のＬ型基本ブロック（Ｌ−Ｂ）の平面図を示し、接続手を形成するための先端部（１）（１）に夫々ナット嵌め込み孔（２）を有し、ナット嵌め込み孔（２）（２）で囲まれた基部には軽量化のための空洞部（３’’）がくり抜かれている。先端部（１）の先端面には雄用鈎状引掛け部（４）が突設されているが、この構造は前出の場合と同一である。
【００２５】
図５は図４の基本ブロック（Ｌ−Ｂ）と図２の延長ブロック（Ｅ−Ｂ）を接続して延長された接続手を形成した組合わせブロックの平面図を示し、基本ブロック（Ｌ−Ｂ）のＬ型二方の先端の雄用鈎状引掛け部（４）に夫々延長ブロック（Ｅ−Ｂ）の雌用鈎状引掛け部（４’）を雌雄接続し、両引掛け部（４）（４’）間に形成されるピン圧入部にスチールピン（６）を圧入し、両引掛け部（４）（４’）の接続を固定化する。これにより基本ブロック（Ｌ−Ｂ）の各先端が延長ブロック（Ｅ−Ｂ）によって延長された接続手を有するＬ型の一体化された継手が得られる。
【００２６】
前記と同様にナット嵌め込み孔（２）にはスチールナットが嵌め込み固定される。このＬ型継ぎ手へのアルミ角パイプの接続はＴ型継ぎ手の場合と同様に行われる。
また、継ぎ手全面に適用される補強板についてもＴ型継ぎ手の場合に述べたように同様の手順で実施される。
【図面の簡単な説明】
【００２７】
【図１】Ｔ型基本ブロックの平面図である。
【図２】延長ブロックの平面図である。
【図３】図１のブロックと図２のブロックを組合わせ接続しているＴ型継ぎ手の平面図である。
【図４】Ｌ型基本ブロックの平面図である。
【図５】図４のブロックと図２のブロックを組合わせ接続しているＬ型継ぎ手の平面図である。
【符号の説明】
【００２８】
Ｔ−Ｂ……Ｔ型の基本ブロック
Ｌ−Ｂ……Ｌ型の基本ブロック
Ｅ−Ｂ……延長ブロック
１……基本ブロックの先端部
２……ナット嵌め込み孔
３，３’，３’’……空洞部
４……雄用鈎状引掛け部
４’……雌用鈎状引掛け部
５，５’……ピン圧入用の凹み
６……スチールピン
７……角パイプ端面を受ける衝合面
【図１】
2006214566.tif 000003
【図２】
2006214566.tif 000004
【図３】
2006214566.tif 000005
【図４】
2006214566.tif 000006
【図５】
2006214566.tif 000007